(57)【要約】      （修正有）【課題】リール本体の小型、軽量化を図ることができ、スプールの制動効率を向上させたスプール制動装置を有する両軸受型リールを提供する。【解決手段】両軸受型リールは、スプール７の回転に制動力を付与するスプール制動装置２０を有している。スプール制動装置２０は、スプール７と一体的に回転する導電環体２５と、導電環体２５の外周面に対向する磁石２１とを備えており、導電環体２５と磁石２１を、スプール７のフランジ部７ｂの外側端面よりも軸方向内方、且つ、糸巻胴部７ａの径方向内側に配設したことを特徴とする。【選択図】図２
2020120587.tif 000002
【特許請求の範囲】
【請求項１】
釣糸が巻回される糸巻胴部と該糸巻胴部の両側に形成されるフランジ部とを具備したスプールをリール本体の側板間に回転自在に支持し、前記スプールの回転に制動力を付与するスプール制動装置を有する両軸受型リールにおいて、
前記スプール制動装置は、前記スプールと一体的に回転する導電環体と、該導電環体の外周面に対向する磁石とを備えており、
前記導電環体と磁石を、前記フランジ部の外側端面よりも軸方向内方、且つ、前記糸巻胴部の径方向内側に配設したことを特徴とする両軸受方リール。
【請求項２】
前記導電環体は、スプールの回転速度に応じて、前記磁石に対する相対位置が変更可能に移動することを特徴とする請求項１に記載の両軸受型リール。
【請求項３】
前記導電環体は、前記磁石に対して、径方向に対向する円筒部と、軸方向に対向する環状壁部とを備えることを特徴とする請求項１又は２に記載の両軸受型リール。
【請求項４】
前記磁石は、前記側板に設けた外部操作部材の操作によって軸方向に移動可能であることを特徴とする請求項１から３のいずれか１項に記載の両軸受型リール。
【発明の詳細な説明】
【技術分野】
【０００１】
本発明は、釣糸放出時において、スプールのフリー回転に対して制動力を付与するスプール制動装置を備えた両軸受型リールに関する。
【背景技術】
【０００２】
両軸受型リールには、釣糸が巻回されるスプールをクラッチ機構によって動力伝達状態（釣糸巻き取り状態）からフリー回転状態に切り換えて釣糸放出する際、スプールの過回転で発生するバックラッシュ現象を防止するスプール制動装置が組み込まれている。
一般的に、スプール制動装置は、例えば、特許文献１及び特許文献２に開示されているように、スプールの回転速度に応じてスプールに作用する磁力を自動調整してスプール回転を強弱制動するように構成されている。
【０００３】
上記の特許文献１に開示されたスプール制動装置は、スプールのフランジよりも軸方向外方に設置された環状磁石の隙間に、スプールと共に一体回転する環状の導電体をスプールの回転速度に応じたカム作用によって挿脱するように構成されている。また、上記の特許文献２に開示されたスプール制動装置は、スプールの糸巻胴部（導電体部を構成する）の内側に、スプールと共に一体回転する磁石をスプールの回転速度に応じたカム作用によって挿脱するように構成されている。
【先行技術文献】
【特許文献】
【０００４】
【特許文献１】特許第５６９０２９１号
【特許文献２】特許第５９４４７４２号
【発明の概要】
【発明が解決しようとする課題】
【０００５】
しかし、上記した特許文献１に開示されているスプール制動装置は、磁場発生装置を構成する磁石がスプールのフランジよりも軸方向外方に設置されると共に、スプールと一体回転する導電体（磁石に径方向に対向する部分）も、スプールのフランジよりも軸方向外方に位置する構成であるため、その分、リール本体全体が軸方向に大型化し重量化も伴ってしまう。また、導電体を含むスプールと一体回転する磁場発生部も、上記した構成によって必然的に重量化することでイナーシャが大きくなってしまい、キャスティング性能が低下してしまう。
【０００６】
また、上記した特許文献２に開示されているスプール制動装置は、スプールの糸巻胴部内周を導電体部とする構成であり、その導電体部（糸巻胴部内周）に対してスプールのフランジよりも軸方向外方に配置された磁石等の磁場発生部を挿脱させるため、その分、リール本体全体が軸方向に大型化し重量化も伴ってしまう。さらに、糸巻量を画定する糸巻胴部径がブレーキ力、特性に大きく影響するため、スプール糸巻量のバリエーション展開が困難となる。
【０００７】
本発明は、上記した問題に着目してなされたものであり、リール本体の小型、軽量化を図ることができ、スプールの制動効率を向上させたスプール制動装置を有する両軸受型リールを提供することを目的とする。
【課題を解決するための手段】
【０００８】
上記した目的を達成するために、本発明に係る両軸受型リールは、釣糸が巻回される糸巻胴部と該糸巻胴部の両側に形成されるフランジ部とを具備したスプールをリール本体の側板間に回転自在に支持し、前記スプールの回転に制動力を付与するスプール制動装置を有しており、前記スプール制動装置は、前記スプールと一体的に回転する導電環体と、該導電環体の外周面に対向する磁石とを備え、前記導電環体と磁石を、前記フランジ部の外側端面よりも軸方向内方、且つ、前記糸巻胴部の径方向内側に配設したことを特徴とする。
【０００９】
上記した構成の両軸受型リールは、スプール制動装置を構成する磁場発生部の磁石及び導電環体が、スプールの糸巻胴部内のスプール幅内の限られたスペース内に収容配置されているため、リール本体の小型、軽量化が図れると共に、磁場発生部が糸巻胴部内にコンパクトに収容されるため、スプールの低イナーシャが実現でき、スプールの制動効率が向上する。
【発明の効果】
【００１０】
本発明によれば、リール本体の小型、軽量化を図ることができ、フリー回転時のスプールの制動効率が向上した両軸受型リールが得られる。
【図面の簡単な説明】
【００１１】
【図１】本発明に係る両軸受型リールの一実施形態を示す平面図。
【図２】図１の構成において、スプール軸に装着されるスプール制動装置の一実施形態を示す図。
【発明を実施するための形態】
【００１２】
以下、図面を参照しながら本発明に係る両軸受型リールについて説明する。
図１は、本発明に係る両軸受型リールの一実施形態を示す平面図、図２は、図１の構成において、スプール軸に装着されるスプール制動装置の一実施形態を示す図である。
【００１３】
本実施形態に係る両軸受型リールは、左右のフレーム２ａ，２ｂを左右カバー３ａ，３ｂで覆った左右側板１Ａ，１Ｂを備えたリール本体１を有している。前記左右の側板間には、スプール軸５が軸受（図２では左フレーム側に配設された軸受を図示）６を介して回転可能に支持されており、スプール軸５には、スプール軸５に外嵌される支持部７ｄを介して、釣糸が巻回されるスプール７が一体的に固定されている。前記スプール７は、糸巻胴部７ａと、その左右両側に一体形成されるフランジ部７ｂと、糸巻胴部７ａの中央と支持部７ｄとの間に一体形成される中央環状壁７ｃとを備えており、釣糸は、左右のフランジ部７ｂに規制されて糸巻胴部７ａに巻回される。
【００１４】
本実施形態では、前記スプール７を回転駆動するハンドル８を右側板１Ｂ側に設置しており、右フレーム２ｂと右カバー３ｂとの間には、ハンドル８の回転駆動力をスプール軸５に伝達する公知の動力伝達機構（図示せず）が配設されている。また、右フレーム２ｂと右カバー３ｂとの間には、スプール軸５を動力伝達状態と動力遮断状態に切り換える公知のクラッチ機構が配設されており、このクラッチ機構は、スプール７の後方側の左右側板間に配設されたクラッチ切り換え操作部材９を押し下げ操作することで、クラッチＯＮ状態（動力伝達状態）からＯＦＦ状態（動力遮断状態；スプールフリー回転状態）に切り換えるよう構成されている。なお、クラッチＯＦＦ状態からクラッチＯＮ状態への復帰は公知の復帰機構を介してハンドル８を回転操作することで行うことが可能となっている。
【００１５】
また、左右の側板１Ａ，１Ｂ間には、スプール７の釣糸繰出し方向側に、公知のレベルワインド装置１０が配設されている。このレベルワインド装置１０は、ハンドル８を回転操作することで、釣糸を挿通する釣糸案内体１１が左右に移動するよう構成されており、釣糸の巻き取り操作に伴ってスプール７の糸巻胴部７ａに釣糸を均等に巻回する。
【００１６】
また、反ハンドル側の側板（左側板側）には、釣糸放時に、スプール７に制動力を付与して過回転を防止するスプール制動装置（バックラッシュ防止装置）２０が配設されている。
【００１７】
以下、本実施形態におけるスプール制動装置２０の実施形態について、図２を参照しながら詳細に説明する。
スプール制動装置２０は、スプールフリー回転状態でスプール７が過回転した際、磁気作用によって制動力を付与する構成となっており、スプール７の回転速度に応じて、その制動力を変化させることが可能となっている。このため、スプール制動装置２０は、磁石と導電体を具備する磁場発生部２０Ａを備えており、本発明では、以下に詳述するように、磁場発生部２０Ａを構成する部材を、スプール７の内部、詳細には、ハンドル８と反対側の一方の前記フランジ部７ｂの軸方向外側端面（図２において、そのような外側端面を破線Ｙで示す）よりも軸方向内方、且つ、糸巻胴部７ａの径方向内側の収容空間Ｓに配設している。
【００１８】
前記収容空間Ｓは、フランジ部７ｂの軸方向外側端面Ｙよりも軸方向内側で、スプール７の糸巻胴部７ａと、中央環状壁７ｃと、支持部７ｄとで囲まれた部分であり、スプール制動装置２０の磁場発生部２０Ａは、この収容空間Ｓ内に配設されている。具体的に、前記磁場発生部２０Ａは、収容空間Ｓ内に配設される磁石２１と、スプール軸５と一体回転する導電体である導電環体２５とを備えており、導電環体２５は、スプールの回転速度に応じて、磁石２１に対する相対位置が軸方向に変更可能に移動する（本実施形態では、軸方向に相対移動する）ようになっている。このため、前記磁石２１は、収容空間Ｓ内において、導電環体２５の円筒部２５ａに対して、一定の隙間を介して径方向に対向するように設置されている。
【００１９】
前記磁石２１は、環状に形成された保持部２２の内周面２２ａの先端側に取着されており、導電環体２５の円筒部２５ａに対向するようにリング状に形成されている。この場合、磁石２１は、そのものがリング形状に構成されたものであっても良いし、保持部２２の先端側の内周面２２ａに、多数の磁石を周方向に沿って連続的に配設（リング状に配設）して構成されたものであっても良い。本実施形態の磁石２１は、リング状に形成され、径方向にＮ極とＳ極が着磁された構成となっている。
【００２０】
前記保持部２２は、左フレーム２ａに対して軸方向に移動可能に支持されており、これにより、先端側に取着された磁石２１も同様に軸方向に移動可能となっている。具体的には、フレーム２ａに一体化された支持筒部２ｂの外周には、軸方向に移動可能に回り止め支持された保持部２２が配設されており、その外周面には、雄ネジ部２２ｂが形成されている。前記雄ネジ部２２ｂには、左フレーム２ａに対して保持された保持部材２３に回転可能に支持された操作部材２３ａの雌ネジ部２３ｂが螺合している。この操作部材２３ａは、左カバー３ａから突出する外部操作部材（例えば、図１に示すようなダイヤル形状の操作片）２３Ａを回転操作することで、回転可能となっており、磁石２１は、操作部材２３ａ及び保持部２２を介して軸方向に移動可能となっている。すなわち、外部操作部材２３Ａの回転操作で、導電環体２５に対する磁石２１の対向距離（磁力）の初期位置を調整することができ、制動初期時の制動力や、回転速度に応じた制動特性を事前に調整することが可能となる。
【００２１】
なお、外部操作部材２３Ａの回転操作によって、磁石２１は、上記した収容空間Ｓ内で軸方向に移動可能となっているが、最も軸方向外方に移動した際、その一部がフランジ部７ｂの軸方向外側端面Ｙに重なるように保持部２２に保持されていても良い。また、外部操作部材２３Ａの構成及び操作方法については、特に限定されることはなく、前記操作部材２３ａが直接、回転操作できるような配置、構成であっても良い。
【００２２】
前記導電環体２５は、略円筒形状に構成されており、磁石２１との間で磁気作用を受けて制動機能を発揮する部材であり、スプール７の回転速度が上昇するに連れて、次第に大きな磁気作用を受けるよう構成されている。すなわち、スプール７の回転速度が上昇するに連れて、後述するカム作用によって、磁石２１に対する対向距離が近接すると、その分、導電環体２５に作用する電磁力（制動力）が増加し、スプール７に対する制動力が増加するようになる（スプール７の空回り現象が抑制されて放出される釣糸のバックラッシュが抑制される）。
【００２３】
以下、本実施形態の磁石２１及び導電環体２５による磁場発生部２０Ａの構成について説明する。
前記略円筒形状の導電環体２５は、前記磁石２１に対して径方向に対向する円筒部２５ａと、前記磁石２１の先端面２１ａ（スプール７の中央環状壁７ｃ側）に対して軸方向に間隔を有して対向配設される環状壁部２５ｂと、支持部７ｄに対して軸方向に摺動可能となるように保持された筒状の移動部材２８に固定される基部２５ｃとを有しており、スプールの回転速度に応じて、磁石２１に対する相対位置が変更可能に移動するよう構成されている。
【００２４】
すなわち、導電環体２５に一体形成された環状壁部２５ｂは、移動部材２８と共に軸方向に変位することで、磁石２１の先端面２１ａに対する相対位置が変更可能（軸方向に変位する）となっている。この場合、前記環状壁部２５ｂは、スプールの回転速度に応じて、磁石２１の先端面２１ａに対して軸方向に接近／離反する部位となっており、接近することで、磁石２１の先端面２１ａとの間の磁力が高まって導電環体２５に作用する制動力が強くなり、離反することで、その制動力は弱まるようになっている。なお、スプール７については、導電体で形成することが好ましく、磁石２１、導電環体２５、糸巻胴部７ａの部分で磁気回路を形成することができ、導電環体２５に作用する制動力を強くすることが可能となる。
【００２５】
前記移動部材２８は、スプール軸（支持部）を挿通させるように筒状に構成されており、スプール軸に沿って軸方向に移動可能であると共に、その外周面に導電環体２５を固定している。移動部材２８の左フレーム２ａ側には、凹所２８ａが形成されており、この凹所の底面に付勢部材（付勢バネ）３０の一端が当て付いている。そして、付勢バネ３０の他端は、支持部７ｄに固定されたリテーナ５ｃに当て付けられており、これにより、移動部材２８は、軸方向の内方側（後述する固定部材４０側）に向けて常時付勢された状態となっている。
【００２６】
また、前記スプール７の中央環状壁７ｃと、支持部７ｄとの間には、固定部材４０が（スプール７と一体回転可能に）配設されている。前記固定部材４０と前記移動部材２８とは、軸方向の対向面で互いに面接するカム部５０を夫々に備えており、前記導電環体２５は、キャスティング時のスプールの回転速度に応じて、前記磁石２１に対する相対位置が変更可能に移動するようになっている。すなわち、導電環体２５が取り付けられる移動部材２８は、前記付勢部材３０の付勢力によって軸方向内方に移動付勢されているが、カム部５０の作用により、キャスティング時のスプール５の高速回転と磁場発生部２０Ａの磁気作用の協働で付勢部材３０の付勢力に抗して、軸方向に沿って左フレーム２ａ側に移動されるようになっている。
【００２７】
前記カム部５０は、一般的に公知であるため、詳細については省略するが、対向面にそれぞれカム面を備えており、これらのカム面は、スプール７と一体回転する固定部材４０で移動部材２８をスプール軸に沿って移動させるような形状となっている。
【００２８】
具体的には、クラッチ機構をＯＦＦにしてスプール７が釣糸放出方向に回転した際、固定部材４０の回転速度がスプール７と共に速くなるに連れ、カム面に作用する軸方向分力が大きくなり、その軸方向分力が付勢部材３０の付勢力よりも大きくなると、移動部材２８は左フレーム２ａ側に移動し、上記した環状壁部２５ｂは、軸方向に移動して磁石２１の先端面２１ａに対して接近するようになる。また、固定部材４０の回転速度がスプールと共に低下すると、付勢部材３０の付勢力によって、移動部材２８は右フレーム２ｂ側に移動し、上記した環状壁部２５ｂは、軸方向に移動して磁石２１の先端面２１ａに対して離反するようになる。すなわち、本実施形態のスプール制動装置は、スプール７の回転速度が速くなると、環状壁部２５ｂが磁石２１の先端面２１ａに対して接近して制動力が高まり、スプールの回転速度が低下すると、環状壁部２５ｂが磁石２１の先端面２１ａに対して離反して制動力が弱くなるように機能する。
【００２９】
この場合、上記した移動部材２８及び固定部材４０に形成される各カム面の傾斜角度、付勢バネ３０の付勢力等を適宜変形することで、移動部材２８の移動量を調整して制動特性を変えることが可能であり、また、操作部材２３によって、磁石２１の環状壁部２５ｂに対する軸方向の対向距離が変更可能であることから、その初期位置を変更することで、スプール回転時に作用する制動力を調整することが可能である。
【００３０】
上記した移動部材２８及び固定部材４０の構成材料については、硬度が及び耐摩耗性が高く、比重が軽いことが好ましい。例えば、ＡＢＳ樹脂、ＰＣ樹脂、ナイロン樹脂、ポリアセタール樹脂、ＰＯＭ樹脂等の樹脂、アルミ等の軽金属によって形成することが可能である。
【００３１】
上記したスプール制動装置２０によれば、磁場発生部２０Ａの磁石２１及び導電環体２５が、スプール７の糸巻胴部７ａ内のスプール幅内の限られたスペース（収容空間Ｓ）内に収容配置されているため、リール本体の小型、軽量化が図れると共に、磁場発生部が糸巻胴部内にコンパクトに収容されるため、スプールの低イナーシャが実現でき、スプールの制動効率、及びキャスティング性能の向上が図れるようになる。
【００３２】
また、導電環体２５に、磁石に径方向に対向する円筒部２５ａと環状壁部２５ｂを形成し、磁石２１の先端面２１ａを利用して、先端面２１ａに対する相対位置を軸方向に変位させて磁力を変更させる構成であるため、磁場発生部を径方向及び軸方向にコンパクト化することができると共に、効率の良い制動特性が得られる。また、スプール幅内で、かつ、糸巻胴部内に磁場発生部を効率良く収容配置することで、スプール糸巻量のバリエーション展開を向上することが可能となる。
【００３３】
さらに、本実施形態の構成では、磁石２１による磁力線（磁気回路）が、導電環体２５の円筒部２５ａから環状壁部２５ｂ及び糸巻胴部７ａの内周側に形成されるため、効率的な制動特性が得られるようになる。
【００３４】
以上、本発明の実施形態について説明したが、本発明は、上記した実施形態に限定されることはなく、種々変形することが可能である。
本発明は、スプール制動装置２０、特に、その構成要素である磁場発生部２０Ａをスプール７の糸巻胴部７ａ内に収容配設したことに特徴があり、リール本体の形状や構成については、特に限定されることはない。また、スプール制動装置２０の磁場発生部２０Ａの構成についても、上記した実施形態に限定されることはなく種々変形することが可能である。例えば、導電環体２５の磁石２１に対する相対位置を変化させる方式としては、上記した実施形態のように軸方向に変化させる以外にも、径方向に変化させる構成であっても良い。さらに、磁石２１を軸方向に移動可能にする構成については、操作部材との間でギア方式やカム方式を利用する等、適宜変形することが可能である。
また、磁石２１の導電環体２５に対向する相対位置の変更は、円筒部２５ａとの磁力が作用する径方向の重合面積や環状壁部２５ｂとの軸方向の対向距離等について、制動特性、リール仕様等に応じて適宜設定される。
【符号の説明】
【００３５】
１  リール本体
５  スプール軸
７  スプール
７ａ  糸巻胴部
７ｂ  フランジ部
２０  スプール制動装置
２０Ａ  磁場発生部
２１  磁石
２５  導電環体
２５ｂ  環状壁部
２８  移動部材
３０  付勢部材
４０  固定部材
５０  カム部
【図１】
2020120587.tif 000003
【図２】
2020120587.tif 000004